(57)【要約】【課題】  顔の一部が大きく見えたり、上半身が一時に見られる手鏡を提供する。【解決手段】  略同大の反射面を持つ凹面鏡(１０)と凸面鏡(２０)がそれぞれ支持枠(１３)に支持してあり、これら両支持枠(１３a)(１３ｂ)はその一辺において、それぞれの鏡面が相対面した状態から少なくとも９０°開閉自在に連結してあり、これら支持枠（１３a）（１３ｂ）の一方の鏡面枠は、開いた状態において、前記連結してある部分を通り、凹凸面鏡のうちの何れか一方の支持枠面に添う軸線（２２）周りに他の鏡面支持枠（１３a）または（１３ｂ）に対して、少なくとも１８０°旋回可能に装備した。【選択図】図４
2008295935.tif 000002
【特許請求の範囲】
【請求項１】
支持枠全面の凹面鏡面と略同大の凸面鏡面を備えた手鏡。
【請求項２】
前記凹面鏡面と凸面鏡面は単一乃至単一化した湾曲板の表裏によって形成してあることを特徴とする請求項１記載の手鏡。
【請求項３】
略同大の反射面を持つ凹面鏡と凸面鏡がそれぞれ別の支持枠に支持してあり、これら両支持枠はその一辺において、２つの鏡面が相対面し閉じた状態から３４０°の範囲まで開閉自在に連結してあることを特徴とする請求項１記載の手鏡。
【請求項４】
略同大の反射面を持つ凹面反射鏡と凸面反射鏡がそれぞれ支持枠に支持してあり、これら両支持枠はその一辺において、それぞれの鏡面が相対面した状態から少なくとも９０°開閉自在に連結してあり、これら支持枠の一方の鏡面枠は、開いた状態において、前記連結してある部分を通り、凹凸面鏡のうちの何れか一方の支持枠面に添う軸線周りに他の鏡面支持枠に対して、少なくとも１８０°旋回可能に装備してあることを特徴とする請求項１、または請求項３記載の手鏡。
【請求項５】
前記凹面鏡と凸面鏡の曲率半径はそれぞれ４５０ｍｍ乃至１４００ｍｍの範囲の凸面反射鏡と凹面反射鏡の組み合わせとしてあり、相互に閉じたとき、二つの鏡面は極接近した状態になることを特徴とする請求項１、３または４記載の手鏡。
【請求項６】
前記凹面鏡と凸面鏡の大きさは略幅４０ｍｍ〜９０ｍｍ×長さ７０ｍｍ〜１６０ｍｍであることを特徴とする請求項１、３、４または５記載の手鏡。
【請求項７】
前記凹凸面鏡の、少なくとも片方の支持枠背面には軟質合成樹脂製の吸盤が着脱自在に外向きに装備してあることを特徴とする請求項１、３、４、５または６記載の手鏡。
【発明の詳細な説明】
【技術分野】
【０００１】
この発明は携帯用、洗面所乃至浴室用の手鏡に関するものである。
【背景技術】
【０００２】
従来この種の手鏡としては、平面鏡と凹面鏡とを組み合わせた物が殆どで、洗面所用として、特に髭剃り用として、市場に見られる。しかし携帯には大きく、テーブル置型若しくは手持ちハンドル付きで携帯には不便なものであった。
また凹面反射鏡と平面鏡を組み合わせた手鏡程度の大きさでは、平面鏡にはせいぜい自分の顔が映る程度で上半身全体の状態を見るには小さ過ぎた。
【特許文献１】特開平１１―２９０１２５特許公開公報
【特許文献２】特開平０９―１８７３１７特許公開公報
【発明の開示】
【発明が解決しようとする課題】
【０００３】
そこでこの発明は凹面鏡側では、女性の化粧特に眉墨や付け睫毛の着脱、男性の髭剃りなどの時には大きく見え、凸面鏡側では、上半身程度まで映り、身だしなみや衣服のコーディネートの状態を映すことが出来、且つ取り扱い易く、折り畳んだ状態においては嵩張らない手鏡を市場に提供する。
【課題を解決するための手段】
【０００４】
前記の課題を達成するためにこの特定発明は支持枠全面の凹面鏡面と略同大の凸面鏡面を備えた手鏡とする。
また前記の課題を達成するために前記手鏡は前記凹面鏡と凸面鏡面は単一乃至単一化した湾曲板の表裏によって形成してあることを特徴とする請求項１記載の手鏡とする。
【０００５】
前記の課題を達成するために前記手鏡の関連発明は略同大の反射面を持つ凹面鏡と凸面鏡がそれぞれ別の支持枠に支持してあり、これら両支持枠はその一辺において、２つの鏡面が相対面し閉じた状態から３４０°の範囲まで開閉自在に連結したことを特徴とする手鏡とした。
【０００６】
また前記の課題を達成するためにこの手鏡の略同大の反射面を持つ凹面鏡と凸面鏡がそれぞれ支持枠に支持してあり、これら両支持枠はその一辺において、それぞれの鏡面が相対面した状態から少なくとも９０°開閉自在に連結してあり、これら支持枠の一方の鏡面枠は、開いた状態において、前記連結してある部分を通り、凹凸面鏡のうちの何れか一方の支持枠面に添う軸線周りに他の鏡面支持枠に対して、少なくとも１８０°旋回可能に装備してあることを特徴とすることが好ましい。
【０００７】
また前記の課題を達成するためにこの手鏡の発明は前記凹面反射鏡と凸面反射鏡の曲率半径はそれぞれ４５０ｍｍ乃至１４００ｍｍの範囲の凸面反射鏡と凹面反射鏡の組み合わせとしてあり、相互に閉じたとき、二つの鏡面は極接近した状態になることを特徴とすることが好ましい。なお、この発明において凹面反射鏡と凸面反射鏡となれるものであれば、ガラス板に限定されず素材は問わない。
【０００８】
また前記の課題を達成するためにこの手鏡の発明は前記凹面鏡と凸面鏡の大きさは略幅４０ｍｍ〜９０ｍｍ×長さ７０ｍｍ〜１６０ｍｍであることを特徴とすることが好ましい。
【０００９】
また前記の課題を達成するためにこの手鏡の、前記凹凸面鏡の、少なくとも片方の支持枠背面には軟質合成樹脂製の吸盤が着脱自在に外向きに装備してあることを特徴とする場合もある。
【発明の効果】
【００１０】
全ての請求項記載の発明においてはこれらを使用すれば、使用者の顔の大きさが凹面鏡においては実物よりも大きく見えるから、眉墨化粧、人工睫毛の装着、ひげ剃り作業若しくはネクタイ締め作業が正確且つ容易に出来る。
他方凸面鏡においては反射像が小さく映るから、上半身程度が映り、全体のバランスや衣服のコーディネートの状態などが容易にチェックできる。
請求項２記載の発明においては凹面鏡と凸面鏡が単一乃至単一化された湾曲板たとえばガラス板などの表裏によって形成されているから、それぞれの反射鏡面を目的に応じて見たいときは、単に裏返せばよく、且つ全体としての構造が単純化しよりコンパクトになる。
【００１１】
請求項３記載の発明においては、凹面鏡と凸面鏡はそれぞれ別の支持枠に支持し、これらを略同大として、前記二つの支持枠を開閉自在に連結したから、不使用時は閉じればコンパクトになり、反射面がともにそれらの支持枠の内側になり保護される。使用するときは開き、起立させることが出来るし、手持ちする時は何れかの支持枠をハンドル代わりに持つことが出来き取り扱いやすい。
請求項４記載の発明においては、前記請求項３記載の発明の効果のほか、また二つの支持枠は、少なくとも９０゜開閉し、一方の支持枠が他方の支持枠に対して少なくとも１８０゜向きが変更可能であるから、何れかの支持枠外面を下側にし、水平にしてテーブルの上などに置けば、他方の支持枠を起立し若干鏡面を上向きに出来、自分の顔が見易い。
また一方の支持枠に二つの支持枠の連結部分において、少なくとも１８０°旋回できるから、凹凸両鏡面を向かい合わせに閉じて収納でき、収納時に凹面鏡の湾曲窪み内に凸面鏡の中央突出部が嵌め込んだ状態となり、デッドスペースが小さくなりコンパクトになる。
【００１２】
請求項５記載の発明においては、前記の数値の範囲内としてあるから、凹面反射鏡の反射像の大きさは１．３〜５．００倍となり、凸面鏡の反射像の大きさは１／３〜１／５となり使用し易い。
請求項６記載の発明においては、閉じた状態でポケットや鞄の中に収納可能であり、凹凸面鏡はそれぞれ支持枠で保護されているから、携行中にこれらの面に傷を付ける虞は殆ど無い。
請求項７記載の発明においては、吸盤装着可能な事から机の上面や鏡などのガラス面、浴室のタイル面、その他滑らかな面に吸着して、使用できる。
【発明を実施するための最良の形態】
【００１３】
図１乃至図４に示す形態であり、（１０）は凹面鏡であり、正面から見て概ね隅角丸味（１１）のある長方形状であり、合成樹脂成形品、金属製プレス若しくは鋳物成形品、木工製品、竹製品，鉱物製品、貝殻製品、動物の骨牙成形品のうちの一つ若しくはこれらの材料の複合品よりなる第１支持枠（１２ａ）に嵌め込まれ、その背面（１３a）及び周縁（１４）が覆われている。好ましくは合成樹脂成形品を用いる。
【００１４】
凹面鏡（１０）は背面（１３a）に金属を蒸着して反射膜が形成してあって、湾曲板背面（１３a）と反射膜の境界面が反射面を構成している。この凹面鏡（１０）が割れたとしても破片が飛び散らないよう、軟質合成樹脂製の補強膜（１５）が感圧性接着剤（１９）によって貼り付けてある。例えば両面粘着シートなどによって、補強してある。
前記補強膜（１５）の背面に更に軟質発泡材よりなるパッキング材（１６）が充填してある場合もある。或いは補強膜の代わりに発泡材よりなるパッキング材（１６）としてもこの発明としては何ら代わりがない。
（２０）は凸面鏡であり、凹面鏡（１０）と同様に、同材質及び同様の形状よりなる第２支持枠（１２ｂ）によって背面（１３ｂ）及び周縁（１４）が覆うわれている。この湾曲板背面（１３ｂ）にも同様の補強膜（１５）乃至パッキング材（１６）が充填してある。前記凹面鏡（１０）及び凸面鏡（２０）は湾曲板の背面（１３a）または（１３ｂ）側に金属が蒸着して反射膜が形成してあって、湾曲板背面（１３a）と反射膜の境界面が反射面を構成している。
これら凹面鏡（１０）及び凸面鏡（２０）の曲率半径は、４５０ｍｍ乃至１４００ｍｍの範囲内のものを用いる。凹面鏡（１０）と凸面鏡（２０）の曲率半径は同一寸法に限定するものではない。
【００１５】
前記一対の支持枠（１２ａ）と（１２ｂ）はこれらの輪郭形状は同大としてあり、これらの一辺は相互に蝶番（２１）によって凹面鏡（１０）に凸面鏡（２０）を向かい合わせて重ねた状態から、開いた状態まで翻転自在に枢着してあり、一方の枠、たとえば凹面鏡（１０）の支持枠（１２ａ）は、前記蝶番（２１）に対し直角で凹面鏡（１０）の支持枠（１２a）に添う軸線（２２）周りに１８０°旋回可能に取り付けられている（図３、図４参照）。
前記の凹面鏡（１０）及び凸面鏡（２０）は通常のガラスなどの背面にアルミウム、銀、などを蒸着して、その更に背面に保護膜を形成したもの、或いはクロームを蒸着した鏡であってもこの発明としては同一である。この場合はクローム蒸着面と湾曲板との結合が強固であるから、保護膜の必要は無い。そのまま片面は凹面鏡（１０）、他面は凸面鏡（２０）として使用できる。
またガラスを用いずステンレススチール板のプレス成形品を磨き上げたものなどを用いてもこの発明としては同一である。
【００１６】
その他凹面鏡（１０）の支持枠（１２a）の外面には軟質合成樹脂製の吸盤（２３）が着脱自在に設けてある。この吸盤（２３）は他の支持枠（１２ｂ）にも取り付け可能にしてあることが好ましい。
前記の蝶番（２１）を０°乃至３４０°回動自在にし、その回動ストロークの終端において、一対の支持枠（１２a）及び（１２ｂ）が係止できるものでも、請求項３記載の発明の実施の形態の範囲に属する。
或いは、蝶番（２１）部分の摩擦力によって、任意の位置で係止できる構造、若しくはクリック機構を用いて、不連続な数箇所でそれぞれ係止可能な構造のものも請求項３の発明の範囲に含まれる。
これらの場合は凸面鏡（２０）の中心部がその支持枠（１２ｂ）を含む平面より突出しない形状とし、前記凸面鏡（２０）を伏せてテーブル面に置いたとき、前記凸面鏡（２０）の中央部がテーブル面に接触しないようにしてある（図示してない）。
【００１７】
使用方法
携行する場合には、凹面鏡（１０）と凸面鏡（２０）とが相い向かうようにして閉じると、凸面鏡（２０）の突出部は凹面鏡（１０）の窪み部分に嵌合するように位置し、一対の支持枠（１２ａ）、（１２ｂ）は完全にその周縁で相接触して閉じる。
また反射鏡として使用する場合は前記一対の支持枠（１２ａ）、と（１２ｂ）を９０°乃至３４０°開いてそれぞれの支持枠の一辺を例えば机面に接触させて、起立させて置く。
或いは、机上などにおくとき、一対の支持枠（１２ａ）、（１２ｂ）を概ね９０°開き、凸面鏡（２０）側の第２支持枠（１２ｂ）の外面を下にして水平にして机の上などに置く。
而して凹面鏡（１０）の支持枠（１２ａ）を前記支持枠（１２ｂ）に対して、軸線（２２）の周りに１８０°回動させて、凹面鏡（１０）を垂直よりやゝ上向きにして使用し（図３参照）、自分の顔、服などの細かいところを見たいときは凹面鏡（１０）を見て、身体の半身程を見るときは凸面鏡（２０）側を見る。
反対に凸面鏡（２０）を見るときは、凹面鏡（１０）側の第１支持枠（１２a）を基台として凸面鏡（２０）を起立させて使用する。
また、凹面鏡（１０）側の支持枠（１２a）の外側に吸盤が設けられるものにおいては、自動車を運転する時、殊に駐車時の補助ミラーとして、自動車の適宜場所に吸着して凸面鏡を最適方向に向けて使用する。或いはテーブルの無いとき、適当なガラス戸、タイル壁面などに吸着させて使用する。
また、浴室や洗面所においてはタイルの壁面や壁面に取り付けた平面鏡などに吸着して使用する。
【実施例１】
【００１８】
前記の発明を実施するために最良の形態で説明したものであり、構成乃至構造については既に説明した通りであるので重ねての説明は省略する。
凹面鏡（１０）及び凸面鏡（２０）の大きさとしては７５ｍｍ×１４０ｍｍとした凹面及び凸面の曲率半径は１０００ｍｍのものを用いたが、４５０ｍｍ乃至１４００ｍｍの範囲のものであれば、特に限定はない。
また支持枠（１２ａ）、（１２ｂ）は射出成形可能な熱可塑性合成樹脂製、例えばポリエチレン製としたが、保護しうる物であれば、前述の通り素材は問わない。また蝶番（２１）の一方の支持枠（１２ｂ）と一体成形品としてある。この蝶番（２１）は１８０°の範囲で回同自在であり、摩擦力により支持枠（１２ａ）、（１２ｂ）は任意の角度で係止可能としてある。
蝶番（２１）の、たとえば他方の部材（２１ａ）には先端に第１球体（２６）のある旋回軸（２４）が一体に成形してあり、これと嵌合する軸受部（２４ａ）は、支持枠（１２ａ）と一体成形してあり、軸方向に設けた割り溝（２５）を設けて、軸受部（２４ａ）が弾性変形可能として内径寸法が変更し、旋回軸（２４）に容易に嵌合し、離脱し難く且つ旋回軸（２４）を軸受部（２４a）が緊縛して、これら両者間の摩擦力により支持枠（１２a）は任意の角度で止まるようにしてある。
この実施例においては吸盤（２３）が設けてあるから、これを利用して滑らかなテーブル面、ガラス戸などにこの発明の手鏡を吸着でき、自動車の補助バックミラーとしても使用できる。
【実施例２】
【００１９】
図５乃至図７に図示するものであり、請求項１及び２記載の発明の実施例であり、凹面鏡（１０）と凸面鏡（２０）は表裏一体に成形してあるものであり、この一体化された凹面鏡（１０）と凸面鏡（２０）は完全に重ねられて、金属蒸着より成る反射層の背面にはそれぞれ軟質合成樹脂製の補強膜（１５）同士を内側にして、感圧性接着剤（１９）よって接着してあり、これら凹凸面の反射鏡（１０），（２０）は完全に重ね合わせて、重ね合わせ反射鏡（４０）としてある。
この実施例においては凹面鏡（１０）と凸面鏡（２０）の曲率半径は全く同一かほとんど同一寸法としてある。
前記の凹凸面の反射鏡（１０），（２０）の間にパッキン材（１６）を介在させるか、軟質合成樹脂製の補強膜（１５）自体を発泡性のシートとしてパッキン材を兼用させてもこの発明としては何ら変りは無い。
これら重ね合わせ反射鏡（４０）は合成樹脂製の共通の支持枠（３０）に嵌合してあり、扁平角筒型のサック（３１）に挿入及び引き出し可能にしてあり、共通の支持枠（３０）をサック（３１）に完全に挿入したときは、共通の支持枠（３０）は完全にサック（３１）内に収納される。
前記の凹凸面鏡（１０）、（２０）は前記のように壊れ難い強化ガラスなどを用い、反射面を構成する蒸着金属をクロームとするときはその背面に保護膜を塗装しなくとも、充分な耐剥離強度を有するから、単一の湾曲板を用いた場合は、その表面を凹面反射鏡(１０)、裏面を凸面反射鏡（２０）として用いることができる。
前記サック（３１）内には共通の支持枠（３０）の挿入抜去方向にスライドする滑り子（３２）が設けてあり、この滑り子（３２）と前記共通の支持枠（３０）とはこれらが一直線の状態から少なくとも９０°好ましくは１１５°折り曲げ自在で、折り曲げた状態で１８０°共通の支持枠（３０）はサック（３１）に対して旋回自在に結合してあり、一例としてボール型ユニバーサルジョイント（３３）を介して連結してある（図6参照）。
前記のこのボール型ユニバーサルジョイント（３３）をサック（３１）から完全に引き出した状態において、ボール型ユニバーサルジョイント（３３）部分は共通の支持枠（３０）及びサック（３１）に対して、３６０°以上旋回可能であり、共通の支持枠（３０）とサック（３１）は、略１１５°の範囲まで折り曲げ可能である。
即ちこのユニバーサルジヨイント（３３）の共通の支持枠（３０）側は先端に第２球体（３６）が一体化した軸（３５）が設けてあり、滑り子（３２）側は先端には前記球体（３６）と摺合可能の内球面座（３７）が設けてあり、内球面座（３７）の一側面には切欠溝（３８）が設けてあり、共通の支持枠（３０）を前記球体（３６）を中心として起立させたとき、前記軸（３５）がこの切欠溝（３８）の中に挿入されて、共通の支持枠（３０）が起立可能としてある。
前記の共通の支持枠（３０）とサック（３１）の折り曲げ可能な角度は１５５°程度まで折り曲げ可能であっても、請求項１または２の発明の実施例２に含まれる。
【図面の簡単な説明】
【００２０】
【図１】実施例１の一対の鏡を開いた状態の正面図である。
【図２】図１の側面図である。
【図３】使用状態の一例を示す側面図である。
【図４】一対の支持枠の結合部を示す一部縦断側面図である。
【図５】実施例２の共通の支持枠をサックに収納した状態の縦断側面図である。
【図６】図５の使用状態の一例を示す一部省略縦断側面図である。
【図７】凹面鏡と凸面鏡の張り合わせ拡大断面図である。
【符号の説明】
【００２１】
１０    凹面鏡
１１    隅角丸味
１２ａ  支持枠
１２ｂ  支持枠
１３a    背面
１３ｂ  背面
１４    周縁
１５    軟質合成樹脂補強膜
１６    パッキング材
１９    感圧性接着剤
２０    凸面鏡
２１    蝶番
２２    軸線
２３    吸着盤
２４    旋回軸
２４ａ  軸受部
２５    割り溝
２６    第１球体
３０    共通の支持枠
３１    サック
３２    滑り子
３３    ボール型ユニバーサルジョイント
３５    軸
３６    第２球体
３７    内球面座
３８    切欠溝
４０    張り合わせた反射鏡
【図１】
2008295935.tif 000003
【図２】
2008295935.tif 000004
【図３】
2008295935.tif 000005
【図４】
2008295935.tif 000006
【図５】
2008295935.tif 000007
【図６】
2008295935.tif 000008
【図７】
2008295935.tif 000009